(57)【要約】【課題】外壁パネルの生産負荷を上げることなく、建造中に取り付け可能な壁つなぎ用治具を提供する。【解決手段】壁つなぎ用治具４０は、複数の外壁パネル３０が並べて配置される外壁に足場を接続する壁つなぎ部材を外壁に固定する壁つなぎ用治具であって、外壁パネルの縁部に配置されたフレーム３２の上面に固定される平板状の基部４１と、基部の端部から前記基部に対して垂直に延びるように設けられ、壁つなぎ部材の先端と連結する連結部４２と、を備え、連結部は、基部がフレームに固定されたときに隣り合う外壁パネルの間に形成された目地の奥側に配置される。【選択図】図６
2020056162.tif 000002
【特許請求の範囲】
【請求項１】
複数の外壁パネルが並べて配置される外壁に足場を接続する壁つなぎ部材を前記外壁パネルに固定する壁つなぎ用治具であって、
前記外壁パネルの縁部に配置されたフレームの上面に固定される平板状の基部と、
前記基部の端部から前記基部に対して垂直に延びるように設けられ、前記壁つなぎ部材の先端と連結する連結部と、を備え、
前記連結部は、前記基部が前記フレームに固定されたときに隣り合う前記外壁パネルの間に形成された目地の奥側に配置されることを特徴とする、壁つなぎ用治具。
【請求項２】
前記基部は、前記フレームの上面に予め形成されたボルト孔を用いて締結部材により前記フレームに固定されることを特徴とする、請求項１に記載の壁つなぎ用治具。
【請求項３】
前記連結部は、前記壁つなぎ部材の先端に設けられたボルトが挿入されるボルト孔が形成されていることを特徴とする、請求項１又は２に記載の壁つなぎ用治具。
【請求項４】
前記連結部は、前記外壁パネルの間に形成された目地に沿って延びる長穴が形成され、前記長穴に沿ってスライドし前記壁つなぎ部材の先端と連結するスライド部材を備えることを特徴とする、請求項１又は２に記載の壁つなぎ用治具。
【請求項５】
前記外壁パネルの外側に配置され、前記壁つなぎ部材の先端と前記連結部とを接続する接続部材をさらに備えることを特徴とする、請求項１から３のいずれか一項に記載の壁つなぎ用治具。
【請求項６】
複数並べて配置されることにより外壁を構成する外壁パネル部材であって、
縁部に配置されるフレームを備える外壁パネルと、
前記外壁パネルに足場を接続する壁つなぎ部材を前記外壁パネルに固定する壁つなぎ用治具であって、前記外壁パネルの前記フレームの上面に固定される平板状の基部と、該基部の端部から前記基部に対して垂直に延びるように設けられ、前記壁つなぎ部材の先端とを連結する連結部とを備え、前記基部が前記フレームに固定されたときに、前記連結部は隣り合う前記外壁パネルの間に形成された目地の奥側に配置される壁つなぎ用治具と、を備えることを特徴とする、外壁パネル部材。
【請求項７】
前記フレームは、該フレームの上面に、前記フレームの長手方向に沿って延びる長穴が形成されており、
前記長穴に沿ってスライド可能に設けられ前記壁つなぎ用治具の前記基部と連結して前記壁つなぎ用治具を所望の位置で固定可能なスライド部材を備えることを特徴とする、請求項６に記載の外壁パネル部材。
【発明の詳細な説明】
【技術分野】
【０００１】
本発明は、壁つなぎ用治具及び外壁パネル部材に係り、足場から延びる壁つなぎ部材を建物の壁に接続するための壁つなぎ用治具及び外壁パネル部材に関する。
【背景技術】
【０００２】
建設中の建物の周囲に設けられた仮設足場を建物の躯体（壁等）につなぐ部材は、既に周知のものであり、一般に壁つなぎ部材と称される。例えば特許文献１に、建物の外壁面に取り付けられる壁つなぎ部材の取付け金物が開示されている。
【０００３】
特許文献１に開示された取り付け金物は、外壁面の背後にある構造部分にビスで取り付けられるものであり、表面側には壁つなぎ用の雌ネジ部が形成されている。取り付け金物は、外壁面が設置された後に取り付けられるため、外壁の外観に影響を与える場合があった。
【０００４】
特許文献２に開示の外壁は、図１３に示すように、足場と接続する取付け用ボルトＢが、外壁パネル１３０の周囲に取り付けられたフレーム１３２の張り出し部１３２ａに、直接取り付けられる。取付け用ボルトＢは、外壁パネル１３０の面材１３１ａにより形成された横目地１２１を通って固定されるため、外壁の外観に影響を与えることは少ない。
【先行技術文献】
【特許文献】
【０００５】
【特許文献１】特開２００９−１０２８８５号公報
【特許文献２】特開２０１８−１０４９７６号公報
【発明の概要】
【発明が解決しようとする課題】
【０００６】
しかしながら、特許文献２に開示された取り付け方法では、取付け用ボルトＢが挿入されるボルト孔１３２ｂを形成するために、予め工場においてフレーム１３２にネジ加工及び穴加工をする必要があった。そのため、作業工程が増加し外壁パネル１３０の生産負荷が高いことが課題となっている。
【０００７】
本発明は上記の課題に鑑みてなされたものであって、その目的は、外壁パネルの生産負荷を上げることなく、建造中に取り付け可能な壁つなぎ用治具を提供することにある。
【課題を解決するための手段】
【０００８】
前記課題は、複数の外壁パネルが並べて配置される外壁に足場を接続する壁つなぎ部材を前記外壁に固定する壁つなぎ用治具であって、前記外壁パネルの縁部に配置されたフレームの上面に固定される平板状の基部と、前記基部の端部から前記基部に対して垂直に延びるように設けられ、前記壁つなぎ部材の先端と連結する連結部と、を備え、前記連結部は、前記基部が前記フレームに固定されたときに隣り合う前記外壁パネルの間に形成された目地の奥側に配置されることを特徴とする、壁つなぎ用治具によって、解決される。
【０００９】
外壁パネルのフレームとは別部材の壁つなぎ用治具を用いるため、外壁パネルを工場で作製する際、壁つなぎ部材の先端（取付け用ボルトＢ）を取り付けるために、外壁パネルのフレームに穴あけ加工及びネジ加工をする必要がない。また、足場と外壁とを接続する場所に応じて、壁つなぎ用治具を外壁のフレームに取り付けることができるため、不要なボルト孔等を形成しなくてもよい。
【００１０】
また、前記基部は、前記フレームの上面に予め形成されたボルト孔を用いて締結部材により前記フレームに固定されてよい。新たにボルト孔を形成することなく、壁つなぎ用治具をフレームに取り付けることができる。
【００１１】
前記連結部は、前記壁つなぎ部材の端部に設けられたボルトが挿入されるボルト孔が形成されてよい。これにより、壁つなぎ部材と壁つなぎ用治具とをボルト接合により連結することができる。
【００１２】
前記連結部は、前記外壁パネルの間に形成された目地に沿って延びる長穴が形成され、前記長穴に沿ってスライドし前記壁つなぎ部材の端部と連結するスライド部材を備えてよい。これにより、壁つなぎ部材を取り付ける足場の支柱が、基部が取り付けられた位置になくても、連結部のスライド部材をスライドさせることにより、足場つなぎ部材を取り付けることができる。
【００１３】
前記壁つなぎ用治具は、前記外壁パネルの外側に配置され、前記壁つなぎ部材の先端と、前記連結部とを接続する接続部材を有してよい。これにより、壁つなぎ部材を取り付ける足場の支柱と、基部が取り付けられる位置がずれている場合であっても接続することができる。
【００１４】
また、前記課題は、複数並べて配置されることにより外壁を構成する外壁パネル部材であって、縁部に配置されるフレームを備える外壁パネルと、前記外壁パネルに足場を接続する壁つなぎ部材を前記外壁パネルに固定する壁つなぎ用治具であって、前記外壁パネルの前記フレームの上面に固定される平板状の基部と、該基部の端部から前記基部に対して垂直に延びるように設けられ、前記壁つなぎ部材の先端とを連結する連結部とを備え、前記基部が前記フレームに固定されたときに、前記連結部は隣り合う前記外壁パネルの間に形成された目地の奥側に配置される壁つなぎ用治具と、を備える外壁パネル部材によって解決される。
【００１５】
外壁パネル部材は、外壁パネルのフレームとは別部材の壁つなぎ用治具を用いるため、外壁パネルを工場で作製する際、壁つなぎ部材の先端（取付け用ボルトＢ）を取り付けるために、外壁パネルのフレームに穴あけ加工及びネジ加工をする必要がない。
【００１６】
前記フレームは、該フレームの上面に、前記フレームの長手方向に沿って延びる長穴が形成されており、前記外壁パネル部材は、前記長穴に沿ってスライド可能に設けられ前記壁つなぎ用治具の前記基部と連結して前記壁つなぎ用治具を所望の位置で固定可能なスライド部材を備えてよい。壁つなぎ部材を取り付ける足場の支柱と、基部が取り付けられる位置がずれている場合であっても、壁つなぎ用治具をスライドして固定することで、接続することができる。
【発明の効果】
【００１７】
本発明に係る壁つなぎ用治具及び外壁パネル部材によれば、外壁パネルの生産負荷を上げることなく、建造中に取り付け可能な壁つなぎ用治具を提供することができる。
【図面の簡単な説明】
【００１８】
【図１】壁つなぎ部材の使用状態を説明する図である。
【図２】外壁パネルに壁つなぎ用治具を取りつけ、足場から延びる壁つなぎ部材と連結した状態を示す断面図である。
【図３】図２の部分Ａを拡大して示した拡大断面図である。
【図４】壁つなぎ用治具の三面図であり、（ａ）は正面図、（ｂ）は平面図、（ｃ）は側面図である。
【図５】外壁パネルのフレームに壁つなぎ用治具を取り付ける前の状態を示す分解斜視図である。
【図６】外壁パネルのフレームに壁つなぎ用治具を取り付けた状態を示す斜視図である。
【図７】（ａ）〜（ｅ）は、壁つなぎ用治具を外壁パネルに取り付ける手順を示す図である。
【図８】（ａ）〜（ｄ）は、壁つなぎ用治具を外壁パネルに取り付ける別の手順を示す図である。
【図９】壁つなぎ用治具の別例を示す斜視図である。
【図１０】接続部材を用いて足場と外壁とを接続する壁つなぎ用治具を示す斜視図である。
【図１１】接続部材を用いて足場と外壁とを接続する壁つなぎ用治具を示す斜視図である。
【図１２】壁つなぎ用治具を移動可能に取り付けるためフレームに長穴が形成された外壁パネル部材の斜視図である。
【図１３】従来の足場を取り付ける取付け構造について説明するための図である。
【発明を実施するための形態】
【００１９】
以下、本発明の一実施形態（以下、本実施形態）について図１〜図８を用いて説明する。また、以降では、住宅（具体的には戸建住宅、又はアパート・マンション等の集合住宅）を建物の一例に挙げて説明することとする。ただし、住宅は建物の一例であり、本発明は他の建物、例えば商業ビル、工場内の建屋、店舗等においても利用可能である。
【００２０】
なお、以下の説明において「鉛直方向」は、建物である住宅の高さ方向に相当する方向であり、「水平方向」は、住宅の桁行方向又は梁間方向に相当する方向である。
【００２１】
本実施形態の壁つなぎ用治具が取り付けられる外壁２０について概説すると、外壁２０は、外壁パネル３０を鉛直方向に複数並べることで構成される。また、外壁２０は、住宅の周囲に設置された足場Ｆを固定しておくことが可能である。具体的には、外壁２０と足場Ｆとの間に、壁つなぎ部材１０を設置し、壁つなぎ部材１０を介して足場Ｆを外壁２０すなわち外壁パネル３０に対して固定する。
【００２２】
壁つなぎ部材１０について図１を参照しながら説明する。上述したように壁つなぎ部材１０は、足場Ｆを住宅の周辺に構築する際に、足場Ｆを住宅の外壁２０に対して固定するために用いられる部材である。壁つなぎ部材１０は、基端部１１と中間部１２と、先端部１３とを有する。基端部１１はネジ孔が形成された筒状の部材であり後述する取付け用ボルトＢが螺合される。中間部１２は、伸縮自在な長尺体からなり、例えば長尺ネジとこれに螺合する長尺ナットによって構成される。先端部１３は、足場Ｆの支柱Ｆｂに取り付け可能であり、例えばクランプからなる。
【００２３】
上記の壁つなぎ部材１０を取り付けるためには、住宅の外壁２０のうち、足場Ｆが設置された際に、当該足場Ｆと対向する側にある外壁２０の所定箇所に取付け用ボルトＢ（壁つなぎ部材の先端）が設けられる。この取付け用ボルトＢは、壁つなぎ部材１０を取り付けるためのネジであり、本実施形態ではスタッドボルトによって構成される。
【００２４】
取付け用ボルトＢは、外壁２０から足場Ｆが設置されている側に向かって延出するよう設置される。住宅の外壁２０は、鉛直方向及び水平方向に並べられた複数の外壁パネル３０によって構成され、鉛直方向において互いに隣り合う外壁パネル同士の間には、水平方向に沿って延びる隙間（横目地２１）が形成される。取付け用ボルトＢは、図１に示すように、その先端部分が横目地２１に入り込み、後端部分が外壁パネル３０より外側に突出した状態で設置される。そして、取付け用ボルトＢ中、外壁パネル３０よりも外側に突出した後端部分に壁つなぎ部材１０の基端部１１が螺合することで、壁つなぎ部材１０が外壁２０に対して取り付けられるようになる。
【００２５】
取付け用ボルトＢのうち、先端部分（壁つなぎ部材１０とは反対側に位置する端部）は、外壁パネル３０において横目地２１の奥側に位置する部分に固定される。以下、取付け用ボルトＢを外壁パネル３０に固定する、本実施形態の壁つなぎ用治具４０について説明する。
【００２６】
壁つなぎ用治具４０を説明するにあたり、まず、壁つなぎ用治具４０が固定される外壁パネル３０の構造について図２を参照しながら説明する。外壁パネル３０は、本体部３１と、本体部３１を保持するフレーム３２とを有する。フレーム３２は枠体で、外壁パネル３０の縁部に配置される。フレーム３２の各部は鋼材であり、厳密にはリップ溝型鋼（Ｃ形鋼）からなる。フレーム３２をなすＣ形鋼は、Ｃ形鋼に設けられた一対の張り出し部３２ａの間に本体部３１の一部（第二断熱層３１ｄ）を挟み込んだ状態で本体部３１を保持している。
【００２７】
本体部３１は、外壁パネル３０のうち、フレーム３２以外の部分であり、通気性を備えた外張断熱用の構造となっている。本体部３１は、屋外に面する面材３１ａと、通気層３１ｂと、高密度グラスウールボードからなる第一断熱層３１ｃと、高性能グラスウールからなる第二断熱層３１ｄとを有する。
【００２８】
面材３１ａは、正面視で略矩形状の板材で具体的にはサイディングボードである。外壁パネル３０において、面材３１ａは、図２に示すように、面材３１ａの上端がフレーム３２の上端よりもやや下がっており、面材３１ａの下端が、フレーム３２の下端よりもやや下がった状態で取り付けられている。このため、図２に示すように、鉛直方向において互いに隣り合う二つの外壁パネル３０の間に形成された横目地２１の奥側には、下側の外壁パネル３０のフレーム３２の上端部分が位置することになる。
【００２９】
フレーム３２の一対の張り出し部３２ａのうち、屋内側に位置する張り出し部３２ａには、図２に示すように、屋内側からパネル固定金物５０がボトル止めされている。
【００３０】
本実施形態の壁つなぎ用治具４０は、外壁パネル３０の縁部に配置されたフレーム３２に取り付けられる。壁つなぎ用治具４０は、フレーム３２の上面固定される平板状の基部４１と、基部４１の端部から基部４１に対して垂直に延びるように設けられ、取付け用ボルトＢ（壁つなぎ部材１０の先端）と連結する連結部４２とを備える。図２及び図３に示すように、壁つなぎ用治具４０の連結部４２は、基部４１がフレーム３２に固定されたときに、隣り合う外壁パネル３０の間に形成された目地２１の奥側に配置される。これにより、取付け用ボルトＢを目地２１に挿入して連結部４２に固定することで、外壁パネル３０と足場Ｆとを接続することができる。また、図２及び図３に示すように、壁つなぎ用治具４０は基部４１と連結部４２とにより断面がＬ字状に形成される。
【００３１】
本実施形態において、フレーム３２の上面にはボルト孔３３が形成され、基部４１には挿通孔４３が形成されており、基部４１とフレーム３２とが締結部材４４（ボルト）を用いて結合される。フレーム３２に形成されるボルト孔３３は、元々外壁パネル３０を運搬するための吊り具（図示せず）を取り付けるために形成されたものである。外壁として設置されたのち吊り具が外された後、壁つなぎ用治具４０をフレーム３２に固定するために使用される。これは一例であり、作業現場にてフレーム３２に、壁つなぎ用治具４０を固定するためのボルト孔３３を別途形成してよい。連結部４２には、取付け用ボルトＢが挿入される連結孔４５が形成される。連結孔４５は内部においてネジきりされてもよい。また、連結孔４５にあわせてナットが取り付けられてもよい。連結部４２と、フレーム３２の屋外側に位置する張り出し部３２ａとの間には、第一断熱材３２ｃが挟まれる。そのため、従来は取付け用ボルトＢを通すために第一断熱材３２ｃに穴をあけていたが、壁つなぎ用治具４０を用いれば、第一断熱材３２ｃに貫通孔をあけることなく壁つなぎ部材１０を固定することができる。
【００３２】
次に、壁つなぎ用治具４０を取り付ける手順の一例について図７（ａ）〜図７（ｅ）を用いて説明する。まず、図７（ａ）及び図７（ｂ）に示すように、壁つなぎ用治具４０が下階の外壁パネル３０に取り付けられる。その後、図７（ｃ）に示すように、上階の外壁パネル３０が取り付けられる。図７（ｄ）に示すように、取付け用ボルトＢが、壁つなぎ用治具４０の連結孔４５に差し込まれ取り付けられる。取付け用ボルトＢは足場Ｆの支柱Ｆｂに設けられたクランプに接続される。図７（ｅ）に示すように、建物が完成して足場Ｆが撤去された後、壁つなぎ用治具４０から取付け用ボルトＢが外される。
【００３３】
壁つなぎ用治具４０の取り付け方法の別例を、図８（ａ）〜図８（ｄ）に示す。図８（ａ）に示すように壁つなぎ用治具４０に予め取付け用ボルトＢを取り付けた状態で、壁つなぎ用治具４０が下階の外壁パネル３０に取り付けられる。その後、上階の外壁パネル３０が設置される。建物が完成して足場Ｆが撤去された後、壁つなぎ用治具４０から取付け用ボルトＢが外される。
【００３４】
図９に本発明の別例である壁つなぎ用治具１４０を示す。図２〜図６に示す壁つなぎ用治具４０は、外壁パネル３０の上面に形成されたボルト孔３３を用いて、フレーム３２に取り付けられていた。壁つなぎ用治具４０は、壁つなぎ部材１０と連結することから、足場Ｆの支柱Ｆｂは壁つなぎ用治具４０がある位置に設けるのが望ましい。しかしながら、壁つなぎ用治具４０がある位置に支柱Ｆｂを設置できない場合がある。そのため、図９に示す壁つなぎ用治具１４０は、フレーム３２の両端部に形成されたボルト孔３３のそれぞれに基部１４１を固定し、二つの基部１４１を亘って連結部１４２が設けられる。そして、連結部１４２には外壁パネル３０の間に形成された目地２１に沿って延びる長穴１４５が形成される。さらに、その長穴１４５に沿ってスライドし、壁つなぎ部材の先端（取付け用ボルトＢ）と連結するスライド部材１４６が設けられる。スライド部材１４６が、足場Ｆの支柱Ｆｂの位置までスライドすることが可能であるため、壁つなぎ部材１０を壁つなぎ用治具１４０に取り付けることができ、足場Ｆを外壁２０に固定することができる。
【００３５】
図１０に本願発明の別例である壁つなぎ用治具２４０を示す。二つの基部２４１がフレーム３２の両端部に固定され、二つの基部２４１のそれぞれに連結部２４２が設けられる。そして、二つの連結部２４２に亘って細長の接続部材２４７が取り付けられる。接続部材２４７には目地２１に沿って長穴２４５が形成され、その長穴２４５に沿ってスライドし壁つなぎ部材の先端（取付け用ボルトＢ）と連結するスライド部材２４６が設けられる。この接続部材２４７は、図１１に示すように、縦に設けられた連結部２４２に亘って鉛直方向Ｅに設けられてもよい。このように、接続部材２４７を鉛直方向Ｅ又は水平方向Ｈに設置することで、足場Ｆの支柱Ｆｂがどのような位置にあっても、それに接続する壁つなぎ部材１０と連結することが可能になる。また、接続部材２４７を足場Ｆの撤去と一緒に取り外すことができる。なお、この接続部材２４７に、長穴２４５が形成されるのではなく、足場Ｆの支柱Ｆｂの位置に合わせてボルト孔が形成され、壁つなぎ部材の先端が取り付けられてもよい。
【００３６】
図１２に示す外壁パネル部材２５は、複数並べて配置されることにより外壁２０を構成する部材である。外壁パネル部材２５は、縁部に配置されるフレーム３２を備える外壁パネル３３０と、外壁パネル３３０に足場を接続する壁つなぎ部材１０を外壁パネル３３０に固定する壁つなぎ用治具３４０とを備える。壁つなぎ用治具３４０は、図２〜６に示す壁つなぎ用治具４０と同じであり、外壁パネル３３０の構造が異なる。外壁パネル３３０は、取り付けられるフレーム３３２の長手方向（図の矢印Ｇ方向）に沿って長穴３４５が形成される。フレーム３３２の下方に、長穴３４５に沿ってスライドし、壁つなぎ用治具３４０の基部３４１と連結するスライド部材を備える。スライド部材３４６と連結した壁つなぎ用治具３４０は、その長穴３４５に沿ってスライドし、壁つなぎ用治具３４０の位置を変更することができる。位置が変更された後、壁つなぎ用治具３４０はフレーム３３２に例えばボルト締結により固定され、足場Ｆに接続する壁つなぎ部材１０の先端が壁つなぎ用治具３４０の連結部３４２に連結される。
【００３７】
上記実施形態では、主として本発明に係る壁つなぎ用治具及び外壁パネル部材に関して説明した。ただし、上記形態は、本発明の理解を容易に理解するための一例に過ぎず、本発明を限定するものではない。本発明は、その趣旨を逸脱することなく、変更、改良され得ると共に、本発明にはその等価物が含まれることはもちろんである。
【符号の説明】
【００３８】
Ｆ    足場
Ｆｂ  支柱
Ｆｔ  足場板
Ｂ    取付け用ボルト
４０  壁つなぎ用治具
４１  基部
４２  連結部
１０  壁つなぎ部材
１１  基端部
１２  中間部
１３  先端部
２０  外壁
２５  外壁パネル部材
３０、３３０  外壁パネル
３１  本体部
３１ａ  面材
３１ｂ  通気層
３１ｃ  第一断熱層
３１ｄ  第二断熱層
３２ａ  張り出し部
３２  フレーム
３３、２３３  ボルト孔
４０、１４０、２４０、３４０  壁つなぎ用治具
４１、１４１、２４１、３４１  基部
４２、１４２、２４２、３４２  連結部
４３  挿通孔
４４  締結部材
４５  連結孔
１４５、２４５、３４５  長穴
１４６、２４６、３４６  スライド部材
２４７  接続部材
【図１】
2020056162.tif 000003
【図２】
2020056162.tif 000004
【図３】
2020056162.tif 000005
【図４】
2020056162.tif 000006
【図５】
2020056162.tif 000007
【図６】
2020056162.tif 000008
【図７】
2020056162.tif 000009
【図８】
2020056162.tif 000010
【図９】
2020056162.tif 000011
【図１０】
2020056162.tif 000012
【図１１】
2020056162.tif 000013
【図１２】
2020056162.tif 000014
【図１３】
2020056162.tif 000015